(57)【特許請求の範囲】
【請求項１】
ユーザに携帯可能な複数のキー装置と、各キー装置との間で無線通信をして施錠又は解錠をする錠装置とからなる施錠／解錠システムにおいて、
上記錠装置との間で情報を送受信する第１無線送受信手段と、キー番号情報、他のキー装置と識別するための情報であるキーＩＤ情報を記憶する第１記憶手段と、上記錠装置からの要求に応じて上記キー番号情報及びキーＩＤ情報の送信を制御する第１制御手段とを有するキー装置と、
上記キー装置の第１無線送受信手段との間で情報を送受信する第２無線送受信手段と、各キー装置に対応したキー番号情報及びキーＩＤ情報を記憶する第２記憶手段と、ドアの施錠及び解錠動作をする施錠／解錠手段と、上記各キー装置のアクセス権の有無を示すアクセス許可フラグを記憶するフラグ記憶手段と、所定の条件が発生した場合に上記フラグ記憶手段に記憶されたアクセス許可フラグをリセットして上記少なくとも一部のキー装置のアクセス権を消失させるフラグ制御手段と、解錠要求に応じて情報送信要求を上記キー装置に送信し、上記キー装置からの応答信号に含まれるキーＩＤ情報を認識して施錠又は解錠するように上記施錠／解錠手段を制御する第２制御手段とを有する錠装置とを備え、
上記フラグ制御手段は、上記アクセス許可フラグがリセットされている場合に、室内に存在する上記キー装置からの解錠要求に応じて上記施錠／解錠手段により解錠したときに、上記アクセス許可フラグをセットすること
を特徴とする施錠／解錠システム。
【請求項２】
上記フラグ制御手段はタイマを更に備え、上記第２制御手段が上記施錠／解錠手段を制御して施錠されてから所定時間が経過したときに、上記第２無線送受信手段の無線信号可能範囲に存在するキー装置についてのアクセス権を消失させること
を特徴とする請求項１記載の施錠／解錠システム。
【請求項３】
上記錠装置は、室内から操作される室内側操作入力部を更に備え、上記第２制御手段は、上記室内側操作入力部が操作されたことに応じて上記施錠／解錠手段を制御して施錠をし、
上記フラグ制御手段は、上記室内側操作入力部が操作されたことに応じて少なくとも一部又は全部のキー装置についてのアクセス権を消失すること
を特徴とする請求項１記載の施錠／解錠システム。
【請求項４】
ユーザに携帯可能な複数のキー装置と錠装置との間で無線通信をして施錠又は解錠をする施錠／解錠方法において、
施錠要求又は解錠要求を上記錠装置で入力するステップと、
情報送信要求を上記錠装置から上記キー装置に送信するステップと、
内部のメモリに記憶された他のキー装置と識別するためのキーＩＤ情報を読み出して上記キー装置から上記錠装置に応答信号として送信するステップと、
上記施錠要求を入力した後に、所定の条件が発生した場合に上記各キー装置のアクセス権の有無を示すアクセス許可フラグをリセットして上記少なくとも一部のキー装置のアク  セス権を消失させるステップと、
上記キー装置からの応答信号に含まれるキーＩＤ情報を認識して上記錠装置によりドアの施錠又は解錠をするステップとを有し、
上記アクセス許可フラグがリセットされている場合に、室内に存在する上記キー装置からの解錠要求に応じて上記錠装置により解錠したときに、上記アクセス許可フラグをセットすること
を特徴とする施錠／解錠方法。
【請求項５】
施錠してから所定時間が経過したときに、上記錠装置の無線信号可能範囲に存在するキー装置についてのアクセス権を消失させること
を特徴とする請求項４記載の施錠／解錠方法。
【請求項６】
室内から操作される室内側操作入力部が操作されたことに応じて施錠をし、
室内側操作入力部が操作されたことに応じて少なくとも一部又は全部のキー装置についてのアクセス権を消失すること
を特徴とする請求項４記載の施錠／解錠方法。
【発明の詳細な説明】
【０００１】
【発明の属する技術分野】
本発明は、錠装置と、キー装置との無線通信による施錠又は解錠をするシステムに関するものであり、詳しくは無線通信を行って施錠又は解錠をするシステムの安全性を向上させる施錠／解錠システム及び施錠／解錠方法に関するものである。
【０００２】
【従来の技術】
自身のＩＤを送信する携帯キー装置と、携帯キー装置の送信するＩＤを受信する錠装置とからなり、無線通信によるＩＤ照合結果に基づいて施解錠を行う住宅用施錠／解錠システムが従来より知られている。
【０００３】
この住宅用施錠／解錠システムでは、室内電源をドアまで配線することで錠装置から送出するリクエスト信号の発信を常時行うものがある。このような住宅用施錠／解錠システムでは、室外から無線通信による施錠を行った後に、施錠実施後に住人が立ち去ったことを検出して再度近接したときには解錠可能としたり、ドア付近に滞留したときには解錠状態を保持するという仕様となっている。
【０００４】
錠装置は、施解錠をする際、無線電波通信可能範囲内にある全ての携帯キー装置にキー番号情報を含むリクエスト信号を順次送信し、これに応じて携帯キー装置は当該キー装置に与えられたキー番号情報を含むリクエスト信号を受信した場合にのみキー番号情報及びＩＤを含む応答信号を錠装置に送信する。
【０００５】
錠装置は、応答信号に含まれるキー番号情報に対応するＩＤを記憶部から読み出し、応答信号に含まれるＩＤと照合して一致した場合に施錠又は解錠処理を行っている。
【０００６】
このようにして携帯キー装置にキー番号情報を与え、錠装置が携帯キー装置に順次アクセスをすることで、複数の携帯キー装置が同時に応答することによる混信を避けていた。
【０００７】
【発明が解決しようとする課題】
しかし、従来の住宅用施錠／解錠システムでは、室内側にキー装置を携帯した住人が不用意に近づいたりすると錠装置では解錠状態、或いは解錠可能状態としてしまうため、室外から住人でない第３者に押し入られるという危険性を伴っていた。
【０００８】
ところで、近年、室内電源をドアまで引き入れる必要がなく、ドア内での配線を必要をなくすことで取付簡便性に優れた、一次電池を用いた錠装置が市場で要求されている。しかし、錠装置で使用する電源を一次電池とした場合には、一次電池の電力が有限であるため、キー装置との無線通信で消費する電力を低減させると、錠装置とキー装置との間での通信時間の制限が生ずる。したがって、従来の室内電源を使用した錠装置の仕様をそのまま利用することができなかった。
【０００９】
そこで、本発明は上述したような問題を解決するために案出されたものであり、無線通信を利用したシステムにおける安全性を向上させることができる施錠／解錠システム及び施錠／解錠方法を提供することを目的とする。
【００１０】
【課題を解決するための手段】
上述の目的を達成するために本発明の請求項１に係る施錠／解錠システムは、ユーザに携帯可能な複数のキー装置と、各キー装置との間で無線通信をして施錠又は解錠をする錠装置とからなる施錠／解錠システムにおいて、上記錠装置との間で情報を送受信する第１無線送受信手段と、キー番号情報、他のキー装置と識別するための情報であるキーＩＤ情報を記憶する第１記憶手段と、上記錠装置からの要求に応じて上記キー番号情報及びキーＩＤ情報の送信を制御する第１制御手段とを有するキー装置と、上記キー装置の第１無線送受信手段との間で情報を送受信する第２無線送受信手段と、各キー装置に対応したキー番号情報及びキーＩＤ情報を記憶する第２記憶手段と、ドアの施錠及び解錠動作をする施錠／解錠手段と、上記各キー装置のアクセス権の有無を示すアクセス許可フラグを記憶するフラグ記憶手段と、所定の条件が発生した場合に上記フラグ記憶手段に記憶されたアクセス許可フラグをリセットして上記少なくとも一部のキー装置のアクセス権を消失させるフラグ制御手段と、解錠要求に応じて情報送信要求を上記キー装置に送信し、上記キー装置からの応答信号に含まれるキーＩＤ情報を認識して施錠又は解錠するように上記施錠／解錠手段を制御する第２制御手段とを有する錠装置とを備える。
このような施錠／解錠システムにおいて、フラグ制御手段は、アクセス許可フラグがリセットされている場合に、室内に存在するキー装置からの解錠要求に応じて施錠／解錠手段により解錠したときに、アクセス許可フラグをセットする。
【００１１】
このような施錠／解錠システムでは、第２制御手段で施錠／解錠するに際して、所定の条件が発生した場合に、アクセス許可フラグを参照して各キー装置ごとにアクセス権に基づいて解錠禁止状態又は解錠許可状態とする。
【００１２】
請求項２に係る施錠／解錠システムにおいて、上記フラグ制御手段はタイマを更に備え、上記第２制御手段が上記施錠／解錠手段を制御して施錠されてから所定時間が経過したときに、上記第２無線送受信手段の無線信号可能範囲に存在するキー装置についてのアクセス権を消失させることが望ましい。
【００１３】
このような施錠／解錠システムでは、請求項１における所定の条件を、施錠されてから所定時間の経過後にキー装置が無線信号可能範囲内に存在するかとし、存在の有無に応じてアクセス権を消失させる。
【００１４】
請求項３に係る施錠／解錠システムにおいて、上記錠装置は、室内から操作される室内側操作入力部を更に備え、上記第２制御手段は、上記室内側操作入力部が操作されたことに応じて上記施錠／解錠手段を制御して施錠をし、上記フラグ制御手段は、上記室内側操作入力部が操作されたことに応じて少なくとも一部又は全部のキー装置についてのアクセス権を消失する。
【００１５】
このような施錠／解錠システムでは、請求項１における所定の条件を、室内側操作入力部の操作の有無とし、操作の有無に応じてアクセス権を消失させる。
【００１６】
上述の目的達成するために、本発明の請求項４に係る施錠／解錠方法は、ユーザに携帯可能な複数のキー装置と錠装置との間で無線通信をして施錠又は解錠をする施錠／解錠方法において、施錠要求又は解錠要求を上記錠装置で入力するステップと、情報送信要求を上記錠装置から上記キー装置に送信するステップと、内部のメモリに記憶された他のキー装置と識別するためのキーＩＤ情報を読み出して上記キー装置から上記錠装置に応答信号として送信するステップと、上記施錠要求を入力した後に、所定の条件が発生した場合に上記各キー装置のアクセス権の有無を示すアクセス許可フラグをリセットして上記少なくとも一部のキー装置のアクセス権を消失させるステップと、上記キー装置からの応答信号に含まれるキーＩＤ情報を認識して上記錠装置によりドアの施錠又は解錠をするステップとを有する。
このような施錠／解錠方法は、アクセス許可フラグがリセットされている場合に、室内に存在するキー装置からの解錠要求に応じて上記錠装置により解錠したときに、アクセス許可フラグをセットする。
【００１７】
このような施錠／解錠方法では、施錠／解錠するに際して、所定の条件が発生した場合に、アクセス許可フラグを参照して各キー装置ごとにアクセス権に基づいて解錠禁止状態又は解錠許可状態とする。
【００１８】
請求項５に係る施錠／解錠方法では、施錠してから所定時間が経過したときに、上記錠装置の無線信号可能範囲に存在するキー装置についてのアクセス権を消失させても良い。
【００１９】
このような施錠／解錠方法では、請求項４における所定の条件を、施錠されてから所定時間の経過後にキー装置が無線信号可能範囲内に存在するかとし、存在の有無に応じてアクセス権を消失させる。
【００２０】
請求項６に係る施錠／解錠方法では、室内から操作される室内側操作入力部が操作されたことに応じて施錠をし、室内側操作入力部が操作されたことに応じて少なくとも一部又は全部のキー装置についてのアクセス権を消失しても良い。
【００２１】
このような施錠／解錠方法では、請求項１における所定の条件を、室内側操作入力部の操作の有無とし、操作の有無に応じてアクセス権を消失させる。
【００２２】
【発明の実施の形態】
以下、本発明に係る施錠／解錠システム及び施錠／解錠方法の実施の形態を図面を参照して詳細に説明する。
【００２３】
本発明は、例えば図１にブロック構成図を示すと共に図３に外観構成を示す錠装置１と、図２にブロック構成図を示すと共に図４に外観構成を示す複数のキー装置３０とから構成される住宅用パッシブシステムである住宅用施錠／解錠システムに適用される。
【００２４】
住宅用施錠／解錠システムは、例えば、住宅の屋内外への出入り口用のドアに設置される錠装置１と、例えば、ユーザである住宅の住人が所有するキー装置３０との無線信号の送受信によって錠装置１の錠を施解錠するシステムである。
【００２５】
この住宅用施錠／解錠システムの錠装置１は、住宅内からの電源を利用するのでなく（室内電源から配線しない）、錠装置３０に内蔵されている電池を利用して、キー装置３０との間で無線通信をする。
【００２６】
錠装置１とキー装置３０との間で無線信号の通信をすることができる無線電波通信可能範囲は、略１ｍ程度である。この無線電波通信可能範囲内にキー装置３０がある場合、錠装置１は所定の信号をキー装置３０へ送信することが可能となる。
【００２７】
錠装置１は、図１に示すように、後述の各部を動作させるための電源供給手段として機能する、内蔵型の電池２、電源回路３、電圧検出部４、錠装置１を初期設定に戻すためのリセット回路５、受信回路７及び入力処理回路１４に電池２からの電源を供給するための電源供給回路６を備える。
【００２８】
また、錠装置１は、キー装置３０との間で無線通信をするための受信回路７、アンサーバック信号受信アンテナ８を備える。この錠装置１では、キー装置３０からの無線信号をアンサーバック信号受信アンテナ８で受信して、受信回路７により所定の受信処理をして入力処理回路１４に供給する。
【００２９】
更に、錠装置１は、ユーザにより押圧操作される操作入力手段として機能する、施錠ボタン９、解錠ボタン１０、ＩＤ登録ボタン１１、電池交換ボタン１２、リセットキー１３を備える。これらのボタンは、図３に示すように錠装置１から外部に露呈して設けられ、ユーザに操作可能とされている。錠装置１では、各ボタンをスイッチ回路として構成しており、各ボタンが操作されることにより、操作されたスイッチ回路から操作入力信号として入力処理回路１４に供給する。
【００３０】
リセットキー１３は、キー装置３０のキーＩＤ情報を当該錠装置１に登録する際に使用され、リセットキー１３を押下することで錠装置１はキーＩＤ情報の登録モードとなる。
【００３１】
更にまた、錠装置１は、上述した受信回路７、複数のボタン、電源供給手段からの入力に基づいて動作をする入力処理回路１４、無線信号を送出するための駆動回路１５及びリクエスト信号送信アンテナ１６、ブザー音を放音するための駆動回路１７及びブザー１８、施解錠表示をするための駆動回路１９及び施解錠表示ＬＥＤ２０、機械的な施解錠を制御するための駆動回路２１及び施解錠モータユニット２２、電源を保護するための駆動回路２３及びバッテリーカバー２４、施解錠をするに際して使用する各種情報が格納されるＥＥＰＲＯＭ２５（Electrically Erasable Programmable Read Only Memorry）、上述の各部を制御する錠側ＣＰＵ（Centaral Prosessing Unit）２６、錠側ＣＰＵ２６を所定周波数で動作させるためのＯＳＣ２７を備えている。
【００３２】
入力処理回路１４は、施錠ボタン９、解錠ボタン１０、ＩＤ登録ボタン１１、電池交換ボタン１２からの入力に応じて所定の処理を実行し錠側ＣＰＵ２６へその旨を送出する。
【００３３】
駆動回路１５は、錠側ＣＰＵ２６の制御に応じてリクエスト信号送信アンテナ１６を制御してリクエスト信号をキー装置３０に送信する。
【００３４】
駆動回路１７は、錠側ＣＰＵ２６の制御に応じてブザー１８を制御して、所定の処理動作などを知らせるブザー音を出力させる。
【００３５】
駆動回路１９は、錠側ＣＰＵ２６の制御に応じて、例えば、施錠されている際に施解錠ＬＥＤ２０を発光させることでユーザにその旨を知らせる。
【００３６】
駆動回路２１、錠側ＣＰＵ２６の制御に応じて施解錠モータユニット２２を駆動させ施錠している錠を解錠したり、解錠されている錠を施錠したりする。
【００３７】
駆動回路２３は、電池２が格納されているボックスのバッテリーカバー２４のロック及びアンロックを行う。電池交換ボタン１２が押下された際、キー装置３０が無線電波通信可能範囲内にあると、錠側ＣＰＵ２６は駆動回路２３を制御してバッテリーカバー２４が取り外し可能な状態とする。なお、バッテリーカバー２４が取り外し可能な状態は電池交換ボタン１２がオン状態のときである。
【００３８】
ＥＥＰＲＯＭ（Electrically Erasable Programmable Read Only Memorry）２５は、複数のキー番号情報、複数のキーＩＤ情報を記憶している電気的に消去可能な不揮発性のメモリである。ＥＥＰＲＯＭ２５に記憶されているキー番号情報とキーＩＤ情報とは、ユーザが所有するキー装置３０に固有のものであり、対にして記憶及び管理がなされる。キー番号情報及びキーＩＤ情報は登録処理をすることで所定の数だけ、例えば３対だけ記憶される。
【００３９】
また、このＥＥＰＲＯＭ２５には、各キー装置３０が錠装置１の無線電波通信可能範囲外に存在するかを識別するためのエリア外フラグ、各キー装置３０の錠装置１に対するアクセス権を示すアクセス許可フラグ、各キー装置３０の解錠の許可権を示す解錠許可フラグを格納している。これらの各フラグは、所定の条件が発生したときに、錠側ＣＰＵ２６により書き換えられて、施錠又は解錠するに際して参照される。
【００４０】
錠側ＣＰＵ２６は、ＯＳＣ２７から発生するクロック周波数に基づいて、所定の演算し、錠装置１の各部を統括的に制御する。
【００４１】
更にまた、この錠装置１は、機械的な施解錠状態を検出するための施解錠状態検出スイッチ部２８を備える。この施解錠状態検出スイッチ部２８は、施錠状態であるときにはスイッチ端子２８ａが閉状態となり、解錠状態であるときにはスイッチ端子２８ｂが閉状態となり、スイッチ端子２８ａ、２８ｂの状態に応じた信号を入力処理回路１４に供給する。
【００４２】
更にまた、錠装置１は、室内側に設けられた室内セキュリティスイッチ２９を備える。この錠装置１では、室内セキュリティスイッチ２９が操作されることで、全てのキー装置３０による解錠を無効にする。
【００４３】
キー装置３０は、後述の各部を動作させるための電源供給手段として機能する、電池３１、電圧検出部３２及び降圧回路３３と、キー装置３０を初期設定状態に戻すためのリセット回路３４、受信回路３６と、データ入力回路３８に電池３１からの電源を供給する電源供給回路３５を備える。
【００４４】
また、キー装置３０は、錠装置１から送信されたリクエスト信号を受信するための受信回路３６、リクエスト信号受信アンテナ３７を備える。
【００４５】
このキー装置３０では、リクエスト信号受信アンテナ３７により錠装置１のリクエスト信号送信アンテナ１６から送信されたリクエスト信号を受信して受信回路３６に供給し、受信回路３６からキー側ＣＰＵ４４に供給する。
【００４６】
更に、キー装置３０は、データ入力回路３８、ウェイクＵＰ回路３９、アンサーバック信号送信アンテナ４０を備える。データ入力回路３８は、所定のデータをキー側ＣＰＵ４４に送出する。ウェイクＵＰ回路３９、アンサーバック信号送信アンテナ４０は、キー側ＣＰＵ４４の制御に応じて錠装置１にアンサーバック信号を送信する。
【００４７】
更にまた、キー装置３０は、ブザー音を放音するための駆動回路４１、ブザー４２を備える。このキー装置３０では、キー側ＣＰＵ４４からの制御信号に応じて駆動回路４１が動作してブザー４２を動作させる。
【００４８】
更にまた、キー装置３０は、ＥＥＰＲＯＭ４３、キー側ＣＰＵ４４、ＯＳＣ４５を備える。
【００４９】
ＥＥＰＲＯＭ４３は、電気的に消去可能な不揮発性のメモリでありキーＩＤ情報、を記憶しており、キー側ＣＰＵ４４によりその内容が読み込まれる。
【００５０】
キー側ＣＰＵ４４は、ＯＳＣ４５から発生するクロック周波数に基づいて、所定の演算をし、キー装置３０の各部を統括的に制御する。
【００５１】
図１及び図２でブロック図として示した住宅用施錠／解錠システムの錠装置１及びキー装置３０の外観構成の一例を図３及び図４に示す。
【００５２】
例えば、錠装置１は、住宅の屋内外への出入り口用のドアに設置されている。錠装置１では図３に破線で示す位置に、電池２、受信回路７、アンサーバック信号受信アンテナ８、リクエスト信号送信アンテナ１６、ブザー１８、施解錠モータユニット２２、送受信切り替えスイッチ２８が配置されている。また、図３の実線で示す位置に施錠ボタン９、解錠ボタン１０、ＩＤ登録ボタン１１、電池交換ボタン１２、ドアの開閉をするための持ち手であるドアノブ１ａが配置されている。また、錠装置１の室内側には、室内セキュリティスイッチ２９が設けられ、室内から操作可能とされている。
【００５３】
キー装置３０は図４に破線で示す位置に、電池３１、リクエスト信号受信アンテナ３６、アンサーバック信号送信アンテナ４０が配置されている。また、図４に実線で示す位置に、電池３１を格納するための電池蓋４６、キー装置３０を初期設定に戻すリセットスイッチであるリセットキーリング孔４７が配置されている。
【００５４】
続いて、キー装置３０を錠装置１へ登録する動作について説明をする。住宅用施錠／解錠システムを利用するには、キー装置３０に割り当てられているキーＩＤ情報を錠装置１へ登録させる必要がある。
【００５５】
まず、リセットキー１３をオン状態にし、錠装置１を登録モードとし、錠装置１の無線電波通信可能範囲内に登録を希望するキー装置３０を配置する。
【００５６】
続いて、ＩＤ登録ボタンを１度押下すると、錠装置１の錠側ＣＰＵ２６は、キー装置３０にキー番号情報「１」を与え、キー番号情報「１」を送信する。キー装置３０のキー側ＣＰＵ４４は、受信したキー番号情報をＥＥＰＲＯＭ４３にキーＩＤ情報と対にして記憶させる。これに対し、キー装置３０は、キーＩＤ情報を錠装置１へ送信する。錠側ＣＰＵ２６は受信したキーＩＤ情報をＥＥＰＲＯＭ２５にキー番号情報と対にして記憶させる。
【００５７】
登録が完了すると錠側ＣＰＵ２６は駆動回路１７、ブザー１８を制御して登録完了を知らせるブザー音を放音させる。
【００５８】
キーＩＤ情報が１つ登録されるとするとＥＥＰＲＯＭ２５に登録されていたキーＩＤ情報は全て消去されるので、登録したいキー装置３０が複数ある場合はこれに続けて登録する必要がある。
【００５９】
以下、登録したいキー装置３０を錠装置１の無線電波通信可能範囲内に配置し、ＩＤ登録ボタンを押下してキーＩＤ情報の登録を行う。次に登録を行うキー装置３０のキー番号情報は「２」、その次のキー番号情報は「３」が順次割り当てられる。
【００６０】
オン状態にしてあるリセットキー１３をオフにすると登録モードは終了する。
【００６１】
なお、登録可能個数を超えて登録作業がなされた場合には、登録は無効とされ登録完了を知らせるブザー音も出力されない。また、リセットキーをオン状態で施錠ボタン９、解錠ボタン１０を同時に押下するとＥＥＰＲＯＭ２５に登録されたキーＩＤ情報は全て消去される。
【００６２】
続いて、図５、図６及び図７に示すフローチャートを用いて錠装置１及びキー装置３０の動作について説明をする。
【００６３】
なお、このフローチャートにおいては、説明のため住宅用施錠／解錠システム登録されているキー装置３０の数を３つとし、それぞれのキー装置３０に与えられたキー番号情報はそれぞれ「１」，「２」，「３」であるとする。
【００６４】
先ず、ステップＳ１において、錠側ＣＰＵ２６は、解錠ボタン１０からの操作入力信号が入力処理回路１４から入力されたか否かの判定をすることで、解錠ボタン１０が室外から押圧操作されたか否かの判断をする。解錠ボタン１０が押圧操作されたと判定したときにはステップＳ２に処理を進め、押圧操作されていないと判定したときには図６のステップＳ３４に処理を進める。
【００６５】
ステップＳ２において、錠側ＣＰＵ２６は、後述のステップＳ３５〜ステップＳ４６で説明するキー装置３０毎のアクセスをすることにより無線電波通信可能範囲にキー装置３０が存在するときにはキー番号情報及びキーＩＤ情報を受信してステップＳ３に処理を進める。
【００６６】
ステップＳ３において、錠側ＣＰＵ２６は、ステップＳ２で行ったキー装置３０毎のアクセスの結果に応じて、ＥＥＰＲＯＭ２５に格納した複数のキー装置３０に対応したキーＩＤ情報と、受信したキーＩＤ情報とで一致しているか否かの判定をし、一致しているキー装置３０が存在するときにはステップＳ４に処理を進め、一致しているキー装置３０が存在しないときにはステップＳ３４に処理を進める。
【００６７】
ステップＳ４において、錠側ＣＰＵ２６は、駆動回路２１に制御信号を出力して施解錠モータユニット２２を駆動することにより施錠をする。また、錠側ＣＰＵ２６は、施錠したことに応じて、各キー装置３０についてのアクセス許可フラグをセットすることでアクセス可能とし、ステップＳ５に処理を進める。
【００６８】
ステップＳ５において、錠側ＣＰＵ２６は、キー番号「１」〜「３」のキー装置３０のエリア外フラグをクリアしてステップＳ６に処理を進める。
【００６９】
ステップＳ６において、錠側ＣＰＵ２６は、内蔵して設定されたタイマを例えば第１所定時間にセットしてステップＳ７に処理を進める。このとき、錠側ＣＰＵ２６は、例えば第１所定時間を５秒とする。
【００７０】
ステップＳ７において、錠側ＣＰＵ２６は、ステップＳ６で設定した第１所定時間に設定されたタイマによる計数を開始させてステップＳ８に処理を進める。
【００７１】
ステップＳ８において、錠側ＣＰＵ２６は、キー番号「１」のキー装置３０についてのアクセス許可フラグがセットされているか否かの判定をする。錠側ＣＰＵ２６は、セットされていると判定したときにはステップＳ９に処理を進め、セットされていないと判定したときにはステップＳ１４に処理を進める。
【００７２】
ステップＳ９において、錠側ＣＰＵ２６は、キー番号「１」のキー装置３０についてのエリア外フラグがセットされているか否かの判定をする。錠側ＣＰＵ２６は、セットされていると判定したときにはステップＳ１４に処理を進め、セットされていないと判定したときにはステップＳ１０に処理を進める。
【００７３】
ステップＳ１０において、錠側ＣＰＵ２６は、ＥＥＰＲＯＭ２５からキー番号「１」のキー番号情報を読み出し、駆動回路１５、リクエスト信号送信アンテナ１６を制御して、読み出したキー番号情報を含んだリクエスト信号をキー装置３０へと送信してステップＳ１１に処理を進める。
【００７４】
ステップＳ１１において、キー装置３０は、送信されたリクエスト信号をリクエスト信号受信アンテナ３７で受信し、キー側ＣＰＵ４４へ送出する。キー側ＣＰＵ４４は、受信したリクエスト信号に含まれるキー番号情報とＥＥＰＲＯＭ４３に格納されているキー番号情報との照合をする。キー側ＣＰＵ４４は、一致したときにはＥＥＰＲＯＭ４３からキー番号情報を読み出して、キー番号情報を含むアンサーバック信号を生成し、ウェイクＵＰ回路３９、アンサーバック信号送信アンテナ４０を制御して生成したアンサーバック信号を送信して、錠装置１により受信する。
【００７５】
次のステップＳ１２において、錠側ＣＰＵ２６は、ＥＥＰＲＯＭ２５からキー番号「１」に対応したキーＩＤ情報を読み出し、読み出したキーＩＤ情報と受信したキー受信したリクエスト信号に含まれるキーＩＤ情報が、キー番号「１」のキー装置３０のキーＩＤ情報か否かの判定をする。錠側ＣＰＵ２６はキー番号「１」のキーＩＤ情報であると判定したときにはステップＳ１４に処理を進め、キー番号「１」のキーＩＤ情報でないときにはステップＳ１３に処理を進める。
【００７６】
ステップＳ１３において、錠側ＣＰＵ２６は、キー番号「１」のキー装置３０についてのエリア外フラグをセットしてステップＳ１４に処理を進める。
【００７７】
錠側ＣＰＵ２６は、上述のキー番号「１」のキー装置３０について行ったステップＳ８〜ステップＳ１３までの処理を、ステップＳ１４〜ステップＳ１９までの処理を行うことでキー番号「２」のキー装置３０、ステップＳ２０〜ステップＳ２５までの処理を行うことでキー番号「３」のキー装置３０について行う。
【００７８】
これにより、錠側ＣＰＵ２６では、ステップＳ７でタイマをスタートさせてから、第１所定時間内（５秒以内）にステップＳ８〜ステップＳ２５までの処理をしてステップＳ１において室外で施錠ボタン９を操作した住人が保有しているキー装置３０の存在を識別する。更に錠側ＣＰＵ２６では、施錠ボタン９を操作した住人が保有するキー装置３０が無線電波通信可能範囲外、すなわちエリア外となることに応じてエリア外フラグをセットして、ステップＳ２６に処理を進める。
【００７９】
ステップＳ２６において、錠側ＣＰＵ２６は、ステップＳ７でスタートさせてからステップＳ６で設定した第１所定時間（本例では５秒）を経過したか否かの判定をする。錠側ＣＰＵ２６は経過したと判定したときにはステップＳ２９に処理を進め、経過していないと判定したときにはステップＳ２７に処理を進める。
【００８０】
第１所定時間が経過した後のステップＳ２９において、錠側ＣＰＵ２６は、駆動回路１７を制御することでブザー１８を駆動させることで、ブザーをオン状態にして、ブザー音を放音させてステップＳ３０に処理を進める。
【００８１】
ステップＳ３０において、錠側ＣＰＵ２６は、ステップＳ２９でブザー１８を駆動したことに応じて、ステップＳ６で設定した第１所定時間のタイマを停止させてステップＳ３１に処理を進める。
【００８２】
ステップＳ３１において、錠側ＣＰＵ２６は、内蔵して設定されたタイマを、第１所定時間より長い第２所定時間（例えば１０秒）にセットしてステップＳ３２に処理を進める。
【００８３】
ステップＳ３２において、錠側ＣＰＵ２６は、上述のステップＳ８〜ステップＳ２５までの処理を行った結果、キー番号「１」〜「３」についてのエリア外フラグが全てセットされているか否かの判定をする。錠側ＣＰＵ２６は全てセットされていると判定したときにはステップＳ３３に処理を進め、全てセットされていないと判定したときにはステップＳ７に処理を進める。このステップＳ７では、ステップＳ３１でセットされた第２所定時間をスタートさせてステップＳ８〜ステップＳ２５までの処理をしてステップＳ２７まで処理を進める。
【００８４】
ステップＳ２７において、錠側ＣＰＵ２６は、ステップＳ７で第２所定時間のタイマをスタートさせて、第２所定時間（例えば１０秒）が経過したか否かの判定をする。錠側ＣＰＵ２６は第２所定時間が経過したと判定したときにはステップＳ２８に処理を進め、経過していないと判定したときにはステップＳ３２に処理を進める。
【００８５】
ステップＳ２８において、錠側ＣＰＵ２６は、登録されている全てのキー装置３０についてのアクセス許可フラグをリセットすることにより、全てのキー装置３０の錠装置１へのアクセス権を消去して、ステップＳ３３に処理を進める。
【００８６】
ステップＳ３３において、錠側ＣＰＵ２６は、ステップＳ２８で錠装置１の無線電波通信可能範囲内のキー装置３０のアクセス権を消失させたこと、又はステップＳ３２で全てのキー装置３０が無線電波通信可能範囲内に存在しないことに応じてステップＳ２９でオン状態としたブザー１８の動作を停止するように駆動回路１７を制御する。
【００８７】
すなわち、錠側ＣＰＵ２６は、施錠ボタン９が操作されてから無線電波通信可能範囲内にキー装置３０が一つでも第１所定時間以上継続して存在するときには、第２所定時間の間、ブザー１８を駆動してブザー音をならす。そして、錠装置１は、第２所定時間以上継続して無線電波通信可能範囲に存在したときにはステップＳ２８においてアクセス権を消失させる。すなわち、錠装置１では、ブザー音を放音させたにも拘わらず無線電波通信可能範囲内に存在するキー装置３０を置き忘れのキー装置３０とみなして、そのキー装置３０によるアクセス権を消失させる。これにより、置き忘れのキー装置３０が錠装置１の無線電波通信可能範囲内に存在したときに、解錠ボタン１０が操作されて第３者の不正侵入を未然に防ぐ。
【００８８】
ステップＳ３４において、錠側ＣＰＵ２６は、解錠ボタン１０が操作されたか否かの判定をし、操作されたときにはステップＳ３５以降のキー装置３０ごとのアクセス処理を行い、操作されていない時にはステップＳ４９に処理を進める。
【００８９】
解錠ボタン１０が操作されたときのステップＳ３５では、キー番号「１」についてのアクセス許可フラグがセットされているか否かの判定をし、セットされているときにはステップＳ３６に処理を進め、セットされていないときにはステップＳ３９〜ステップＳ４２のキー番号「２」についての処理を行う。
【００９０】
ステップＳ３６において、錠側ＣＰＵ２６は、キー番号「１」についてのキー番号情報をＥＥＰＲＯＭ２５から読み出して、読み出したキー番号情報を含むリクエスト信号をリクエスト信号送信アンテナ１６から送信して、ステップＳ３７に処理を進める。
【００９１】
ステップＳ３７において、錠側ＣＰＵ２６は、リクエスト信号を送信したことに対するアンサーバック信号をアンサーバック信号受信アンテナ８で受信し、ステップＳ３８において、アンサーバック信号に含まれるキーＩＤ情報がキー番号「１」に対応しているか否かの判定をする。錠側ＣＰＵ２６はキー番号「１」に対応していると判定したときにはステップＳ４７に処理を進め、解錠許可フラグがセットされていれば、ステップＳ４８で解錠するように施解錠モータユニット２２を駆動させてステップＳ４９に処理を進める。
【００９２】
ステップＳ３８でアンサーバック信号に含まれるキーＩＤ情報が、キー番号「１」に対応したキーＩＤ情報でないと判定したときにはステップＳ３９に処理を進める。
【００９３】
ステップＳ３９〜ステップＳ４２では、キー番号「２」について上述のステップＳ３５〜ステップＳ３８までの処理をし、ステップＳ４３〜ステップＳ４６では、キー番号「３」について上述のステップＳ３５〜ステップＳ３８までの処理をする。
【００９４】
ステップＳ４９では、錠側ＣＰＵ２６は、室内の住人による室内からの機械的なサムターン施錠がなされたことにより施錠されたか否かの判定をする。ここで、錠側ＣＰＵ２６は、サムターン施錠ではなく、室内の室内セキュリティスイッチ２９が操作されたことを判定しても良い。錠側ＣＰＵ２６はサムターン施錠がされたと判定したときには全てのキー装置３０についての解錠許可フラグをリセットしてステップＳ５１に処理を進める。即ち錠側ＣＰＵ２６は、サムターン施錠又は室内セキュリティスイッチ２９が操作されて施錠されたときには全てのキー装置３０についてのアクセス権を消失させて室内からのみ解錠可能とする。
【００９５】
ステップＳ５１において、錠側ＣＰＵ２６は、室内からサムターン解錠がなされたと判定したときには、ステップＳ５２においてステップＳ５０でリセットされていた解錠許可フラグをセットして、ステップＳ５３に処理を進める。
【００９６】
ステップＳ５３において、錠側ＣＰＵ２６は、室内に存在するキー装置３０からリモコン操作により解錠されたときには、全てのキー装置３０のアクセス許可フラグをセットすることで、室外からのキー装置３０からのアクセスを有効にする。
【００９７】
このような住宅用施錠／解錠システムでは、室外に露呈している解錠ボタン１０が操作されたときであっても（ステップＳ３４）、その前に室内からの操作によりサムターン施錠又は室内セキュリティスイッチ２９による施錠がなされたときには解錠禁止とするので、正規な住人でないキー装置３０を保有する第三者の不正侵入を防止して、安全性を向上することができる。
【００９８】
更に、住宅用施錠／解錠システムでは、室内から操作により施錠したときには室内からのサムターン解錠又は室内セキュリティスイッチ２９による解錠、又は室内からのリモコン解錠によってのみ、室外からの解錠を可能とするので、更に安全性を向上させることができる。
【００９９】
上述した実施の形態に係る住宅用施錠／解錠システムでは、施錠ボタン９を操作してから所定時間だけ無線電波通信可能範囲にキー装置３０が存在するときにこのキー装置３０のアクセス権を消失する制御、室内からの操作により全てのキー装置３０について解錠許可フラグをリセットする制御をするが、これらの解錠禁止のモード有無を選択可能にしても良い。これにより、上述と同様に安全性を向上させると共に、ユーザに応じた制御をすることができる。また、モード選択の結果をブザー音やＬＥＤ等で表示して識別可能にしても良い。
【０１００】
更に、ステップＳ５０において全てのキー装置３０についての解錠許可フラグをリセットするのでなく、室内からサムターン施錠又は室内セキュリティスイッチ２９による施錠を行ったときに無線電波通信可能範囲に存在して応答が検出されたキー装置３０のみについて解錠許可フラグをリセットしても良い。
【０１０１】
更にまた、ステップＳ５０では、全てのキー装置３０についての解錠許可フラグをリセットするのではなく、室内に存在するキー装置３０の不用意な錠装置１との近接によりアクセスを防止するために、室内のキー装置３０のみの解錠許可フラグをリセットしても良い。
【０１０２】
なお、上述の実施形態では、住宅用の施錠／解錠システムについて説明したが、これに限らず、車両用の施錠／解錠システムやその他のシステムについても適用可能である。
【０１０３】
【発明の効果】
請求項１に係る施錠／解錠システムによれば、第２制御手段で施錠／解錠するに際して、所定の条件が発生した場合に、アクセス許可フラグを参照して各キー装置ごとにアクセス権に基づいて解錠禁止状態又は解錠許可状態とするので、例えばドアの近くにキー装置を置き忘れたり、不用意にキー装置に近づいて解錠可能状態とすることなく、無線通信を利用したシステムにおける安全性を向上させることができる。
【０１０４】
請求項２に係る施錠／解錠システムによれば、請求項１における所定の条件を、施錠されてから所定時間の経過後にキー装置が無線電波通信可能範囲内に存在するかとし、例えば室内にキー装置が置き忘れた状態にあって解錠可能状態にあっても、存在の有無に応じてアクセス権を消失させるので、置き忘れたキー装置により解錠可能状態となることがなく、安全性を向上させることができる。
【０１０５】
請求項３に係る施錠／解錠システムによれば、請求項１における所定の条件を、室内側操作入力部の操作の有無とし、操作の有無に応じて一部又は全部のアクセス権を消失させるので、不用意に錠装置を解錠可能状態にして、室外からの第三者の不正侵入を防止して、安全性を向上させることができる。
【０１０６】
請求項４に係る施錠／解錠方法によれば、施錠／解錠するに際して、所定の条件が発生した場合に、アクセス許可フラグを参照して各キー装置ごとにアクセス権に基づいて解錠禁止状態又は解錠許可状態とするので、例えばドアの近くにキー装置を置き忘れたり、不用意にキー装置に近づいて解錠可能状態とすることなく、無線通信を利用したシステムにおける安全性を向上させることができる。
【０１０７】
請求項５に係る施錠／解錠方法によれば、請求項４における所定の条件を、施錠されてから所定時間の経過後にキー装置が無線電波通信可能範囲内に存在するかとし、例えば室内にキー装置が置き忘れた状態にあって解錠可能状態にあっても、存在の有無に応じてアクセス権を消失させるので、置き忘れたキー装置により解錠可能状態となることがなく、安全性を向上させることができる。
【０１０８】
請求項６に係る施錠／解錠方法によれば、請求項４における所定の条件を、室内側操作入力部の操作の有無とし、操作の有無に応じて一部又は全部のアクセス権を消失させるので、不用意に錠装置を解錠可能状態にして、室外からの第三者の不正侵入を防止して、安全性を向上させることができる。
【図面の簡単な説明】
【図１】本発明を適用した住宅用施錠／解錠システムの錠装置の構成を説明をするためのブロック図である。
【図２】本発明を適用した住宅用施錠／解錠システムにおいて、キー装置の構成を説明するためのブロック図である。
【図３】本発明を適用した住宅用施錠／解錠システムにおいて、錠装置の外観構成を説明するための要部概略図である。
【図４】キー装置の外観構成を説明するための要部概略図である。
【図５】本発明を適用した住宅用施錠／解錠システムの処理手順を説明するためのフローチャートである。
【図６】本発明を適用した住宅用施錠／解錠システムの処理手順を説明するためのフローチャートである。
【図７】本発明を適用した住宅用施錠／解錠システムの処理手順を説明するためのフローチャートである。
【符号の説明】
１  錠装置
２  電池
３  電源回路
６  電源供給回路
７  受信回路
８  アンサーバック信号受信アンテナ
９  施錠ボタン
１０  解錠ボタン
１１  ＩＤ登録ボタン
１５  駆動回路
１６  リクエスト信号送信アンテナ
２１  駆動回路
２２  施解錠モータユニット
２５  ＥＥＰＲＯＭ
２６  錠側ＣＰＵ
３０  キー装置
３１  電池
３５  電源供給回路
３６  受信回路
３７  リクエスト信号受信アンテナ
３９  ウェイクＵＰ回路
４０  アンサーバック信号送信アンテナ
４３  ＥＥＰＲＯＭ
４４  キー側ＣＰＵ
【図１】
0004369625.tif 000002
【図２】
0004369625.tif 000003
【図３】
0004369625.tif 000004
【図４】
0004369625.tif 000005
【図５】
0004369625.tif 000006
【図６】
0004369625.tif 000007
【図７】
0004369625.tif 000008